(57)【特許請求の範囲】
【請求項１】
建物躯体又はこれに配した下地材に取り付けるための取付部と、上記建物躯体又はこれに配した下地材の前面とプレート部材との間に形成すべき通気用隙間を確保するための隙間形成用案内部と、プレート部材の鉛直荷重を受けつつこれを位置決め支持する支持部とで構成し、その取付部と隙間形成用案内部と支持部とを、プレート部材を結合するための接着剤との絡み結合構造を兼ねた透水構造をその全部又は一部に備えた板材により構成したプレート部材取付具に於いて、
前記取付部を直立する取付板部に構成し、
前記支持部を、上記取付板部の上端から前方に水平に張り出してその上面でプレート部材の下端を支持するプレート支持片に構成し、
前記隙間形成用案内部を、上記取付板部の下端に、ここから前方に突き出した連結片を介して垂下させた隙間形成片に構成し、
更に前記絡み結合構造を兼ねた透水構造として、以上の取付板部、プレート支持片、連結片及び隙間形成片を一体に構成する左右に長尺な板材の全面に多数の小孔を開口したプレート部材取付具。
【請求項２】
建物躯体又はこれに配した下地材に取り付けるための取付部と、上記建物躯体又はこれに配した下地材の前面とプレート部材との間に形成すべき通気用隙間を確保するための隙間形成用案内部と、プレート部材の鉛直荷重を受けつつこれを位置決め支持する支持部とで構成し、その取付部と隙間形成用案内部と支持部とを、プレート部材を結合するための接着剤との絡み結合構造を兼ねた透水構造をその全部又は一部に備えた板材により構成したプレート部材取付具に於いて、
前記取付部を、建物躯体又はこれに配した下地材に取り付けるための直立する上下二つの取付板部に構成し、
前記隙間形成用案内部を、上記上下の取付板部から各々前方に突き出した連結片の先端間に垂直に配した隙間形成板に構成し、
前記支持部を、上記隙間形成板の上下方向途中から前方に水平に張り出した同一高さの複数のプレート支持片に構成し、
更に前記絡み結合構造を兼ねた透水構造として、以上の二つの取付板部、二つの連結片、隙間形成板及び複数のプレート支持片を一体に構成する左右に長尺な板材の内、プレート支持片を除く部位の全面に多数の小孔を開口したプレート部材取付具。
【請求項３】
建物躯体又はこれに配した下地材に取り付けるための取付部と、上記建物躯体又はこれに配した下地材の前面とプレート部材との間に形成すべき通気用隙間を確保するための隙間形成用案内部と、プレート部材の鉛直荷重を受けつつこれを位置決め支持する支持部とで構成し、その取付部と隙間形成用案内部と支持部とを、プレート部材を結合するための接着剤との絡み結合構造を兼ねた透水構造をその全部又は一部に備えた板材により構成したプレート部材取付具に於いて、
前記取付部を、建物躯体又はこれに配した下地材に取り付けるための直立する上下二つの取付板部に構成し、
前記隙間形成用案内部を、上記上下の取付板部から各々前方に突き出した連結片の先端間に垂直に配した隙間形成板に構成し、
前記支持部を、上記隙間形成板の上下方向途中から前方斜め上向きに張り出した同一高さの複数のプレート支持片に構成し、
更に前記絡み結合構造を兼ねた透水構造として、以上の二つの取付板部、二つの連結片、隙間形成板及び複数のプレート支持片を一体に構成する左右に長尺な板材の内、プレート支持片を除く部位の全面に多数の小孔を開口したプレート部材取付具。
【請求項４】
前記プレート支持片を、その先端に、上方のプレート部材の下端に形成した係止溝に係止する上向き係止片及び下方のプレート部材の上端に形成した係止溝に係止する下向き係止片を備えたものに構成した請求項２のプレート部材取付具。
【請求項５】
建物躯体又はこれに配した下地材に取り付けるための取付部と、上記建物躯体又はこれに配した下地材の前面とプレート部材との間に形成すべき通気用隙間を確保するための隙間形成用案内部と、プレート部材の鉛直荷重を受けつつこれを位置決め支持する支持部とで構成し、その取付部と隙間形成用案内部と支持部とを、プレート部材を結合するための接着剤との絡み結合構造を兼ねた透水構造をその全部又は一部に備えた板材により構成したプレート部材取付具に於いて、
前記取付部を、建物躯体又はこれに配した下地材に取り付けるための直立する上下及び中間の三枚の取付板部に構成し、
前記隙間形成用案内部を、上記上方及び中間の取付板部から各々前方に突き出した連結片の先端間、並びに中間及び下方の取付板部から各々前方に突き出した連結片の先端間に各々垂直に配した二つの隙間形成板に構成し、
前記支持部を、上記中間の取付板部の上下方向途中から前方斜め上向きに張り出した同一高さの複数のプレート支持片に構成し、
更に前記絡み結合構造を兼ねた透水構造として、以上の三枚の取付板部、四枚の連結片、二つの隙間形成板及び複数のプレート支持片を一体に構成する左右に長尺な板材の内、プレート支持片を除く部位の全面に多数の小孔を開口したプレート部材取付具。
【請求項６】
前記絡み結合構造を兼ねた透水構造として、前記左右に長尺な板材の全部又は一部を前記多数の小孔に代えて網状部に構成した請求項１、２、３、４又は５のプレート部材取付具。
【発明の詳細な説明】
【０００１】
【発明の属する技術分野】
本発明は、大型のタイル、石材板、パネル或いは各種ボード等のプレート部材を建築物の壁面、特に外壁に取り付けるのに好適なプレート部材取付具に関するものである。
【０００２】
【従来の技術】
従来、大型のタイル、石材板、パネル或いは各種ボード等のプレート部材を建築物の外壁に取り付ける手段としては、たとえば、本発明者の提案によるプレート部材の取付片（特許第２８２６０４３号）がある。
【０００３】
上記プレート部材の取付片は、壁面を構成する下地材に取り付ける左右に長尺な取付板と、該取付板の上端から前方に向かって延設したアーム部であって、その前後方向の途中に接着剤支持片を立ち上げ、かつ該接着剤支持片より前方の上部をプレート支持部としたアーム部と、上記取付板の下端から上記アーム部と同方向に延設した第２アーム部であって、その先端に上下に向かって第２接着剤支持片を延設した第２アーム部とで構成したものである。
【０００４】
このプレート部材の取付片を用いるには、先ず、所望のプレート部材を下地材に対してどのような配置で取り付けるかその配列を定める。その上でこのプレート部材取付片を、上記予定配列位置のプレート部材の下端にそのプレート支持部を一致させながら下地材に取り付ける。この取付けは、例えば、取付板のビス孔にビスを挿入し下地板にこれをねじ込むことで行う。
【０００５】
その後、上記プレート部材の背面に接着剤をスポツト状に配し、該プレート部材をプレート部材の取付片のプレート支持部の上面にその下端を載せながら下地材の所定の部位に接着させる。上記接着剤は適度の厚みに配するべきであるのは云うまでもない。このようにして、順次、上記プレート部材を下地材の所定の部位に接着させ、予定領域の全面に所要数のプレート部材を接着する。
最後に各隣接するプレート部材間に目地材を充填すればこのプレート部材の取り付け作業は完了となる。
【０００６】
このように、プレート部材は、プレート部材の取付片のプレート支持部に載せることで位置決めがなされ、かつ支持されるようになる。そしてこのようにプレート部材が支持されることによって、接着剤が硬化していない状態であってもこれに該プレート部材の重量による剪断力が掛かることがないので、プレート部材がずれ落ちるダレを生ずることが無くなり、そのため作業者の技能レベルの高低に関係なくプレート部材の取り付けが正確に出来るようになったものである。
更にプレート部材の取付工程に於いて、ダレを生ずることが無いので短時間に次々とプレート部材の取付作業ができるようになり作業能率が改善されたものでもある。
【０００７】
しかしながら、その後、鋭意検討した結果、プレート部材を取り付けた後で目地部等から内側に入り込んだ雨水がプレート部材の背後に部分的に滞留し、たとえば、冬季の厳寒期にはこれが凍結して膨張することにより接着してあるプレート部材が剥離し易くなったり、夏期にはカビが発生し易くなって当該部分の劣化が進むおそれがあることが判ってきた。
【０００８】
【発明が解決しようとする課題】
本発明は、先に示したプレート部材の取付片の有する利点、即ち、プレート部材を取り付ける際に位置決めができること、取り付けたプレート部材にダレを生じさせないように支持し得ることの利点を生かしながら、更に目地部などから入り込んだ雨水を内部に滞留させることなく流下させ得るようにすると共に、プレート部材との結合を強化し得、かつその構造が簡単で容易に製作できるプレート部材取付具を提供することを解決の課題とする。
【０００９】
【課題を解決するための手段】
本発明の１は、  建物躯体又はこれに配した下地材に取り付けるための取付部と、上記建物躯体又はこれに配した下地材の前面とプレート部材との間に形成すべき通気用隙間を確保するための隙間形成用案内部と、プレート部材の鉛直荷重を受けつつこれを位置決め支持する支持部とで構成し、その取付部と隙間形成用案内部と支持部とを、プレート部材を結合するための接着剤との絡み結合構造を兼ねた透水構造をその全部又は一部に備えた板材により構成したプレート部材取付具に於いて、
前記取付部を直立する取付板部に構成し、
前記支持部を、上記取付板部の上端から前方に水平に張り出してその上面でプレート部材の下端を支持するプレート支持片に構成し、
前記隙間形成用案内部を、上記取付板部の下端に、ここから前方に突き出した連結片を介して垂下させた隙間形成片に構成し、
更に前記絡み結合構造を兼ねた透水構造として、以上の取付板部、プレート支持片、連結片及び隙間形成片を一体に構成する左右に長尺な板材の全面に多数の小孔を開口したプレート部材取付具である。
【００１１】
本発明の２は、建物躯体又はこれに配した下地材に取り付けるための取付部と、上記建物躯体又はこれに配した下地材の前面とプレート部材との間に形成すべき通気用隙間を確保するための隙間形成用案内部と、プレート部材の鉛直荷重を受けつつこれを位置決め支持する支持部とで構成し、その取付部と隙間形成用案内部と支持部とを、プレート部材を結合するための接着剤との絡み結合構造を兼ねた透水構造をその全部又は一部に備えた板材により構成したプレート部材取付具に於いて、
前記取付部を、建物躯体又はこれに配した下地材に取り付けるための直立する上下二つの取付板部に構成し、
前記隙間形成用案内部を、上記上下の取付板部から各々前方に突き出した連結片の先端間に垂直に配した隙間形成板に構成し、
前記支持部を、上記隙間形成板の上下方向途中から前方に水平に張り出した同一高さの複数のプレート支持片に構成し、
更に前記絡み結合構造を兼ねた透水構造として、以上の二つの取付板部、二つの連結片、隙間形成板及び複数のプレート支持片を一体に構成する左右に長尺な板材の内、プレート支持片を除く部位の全面に多数の小孔を開口したプレート部材取付具である。
【００１２】
本発明の３は、建物躯体又はこれに配した下地材に取り付けるための取付部と、上記建物躯体又はこれに配した下地材の前面とプレート部材との間に形成すべき通気用隙間を確保するための隙間形成用案内部と、プレート部材の鉛直荷重を受けつつこれを位置決め支持する支持部とで構成し、その取付部と隙間形成用案内部と支持部とを、プレート部材を結合するための接着剤との絡み結合構造を兼ねた透水構造をその全部又は一部に備えた板材により構成したプレート部材取付具に於いて、
前記取付部を、建物躯体又はこれに配した下地材に取り付けるための直立する上下二つの取付板部に構成し、
前記隙間形成用案内部を、上記上下の取付板部から各々前方に突き出した連結片の先端間に垂直に配した隙間形成板に構成し、
前記支持部を、上記隙間形成板の上下方向途中から前方斜め上向きに張り出した同一高さの複数のプレート支持片に構成し、
更に前記絡み結合構造を兼ねた透水構造として、以上の二つの取付板部、二つの連結片、隙間形成板及び複数のプレート支持片を一体に構成する左右に長尺な板材の内、プレート支持片を除く部位の全面に多数の小孔を開口したプレート部材取付具である。
【００１３】
本発明の４は、本発明の２のプレート部材取付具に於いて、前記プレート支持片を、その先端に、上方のプレート部材の下端に形成した係止溝に係止する上向き係止片及び下方のプレート部材の上端に形成した係止溝に係止する下向き係止片を備えたものに構成したプレート部材取付具である。
【００１４】
本発明の５は、建物躯体又はこれに配した下地材に取り付けるための取付部と、上記建物躯体又はこれに配した下地材の前面とプレート部材との間に形成すべき通気用隙間を確保するための隙間形成用案内部と、プレート部材の鉛直荷重を受けつつこれを位置決め支持する支持部とで構成し、その取付部と隙間形成用案内部と支持部とを、プレート部材を結合するための接着剤との絡み結合構造を兼ねた透水構造をその全部又は一部に備えた板材により構成したプレート部材取付具に於いて、
前記取付部を、建物躯体又はこれに配した下地材に取り付けるための直立する上下及び中間の三枚の取付板部に構成し、
前記隙間形成用案内部を、上記上方及び中間の取付板部から各々前方に突き出した連結片の先端間、並びに中間及び下方の取付板部から各々前方に突き出した連結片の先端間に各々垂直に配した二つの隙間形成板に構成し、
前記支持部を、上記中間の取付板部の上下方向途中から前方斜め上向きに張り出した同一高さの複数のプレート支持片に構成し、
更に前記絡み結合構造を兼ねた透水構造として、以上の三枚の取付板部、四枚の連結片、二つの隙間形成板及び複数のプレート支持片を一体に構成する左右に長尺な板材の内、プレート支持片を除く部位の全面に多数の小孔を開口したプレート部材取付具である。
【００１５】
本発明の６は、本発明の１、２、３、４又は５のプレート部材取付具に於いて、前記絡み結合構造を兼ねた透水構造として、前記左右に長尺な板材の全部又は一部を前記多数の小孔に代えて網状部に構成したプレート部材取付具である。
【００１６】
【発明の実施の形態】
本発明は、建物躯体又はこれに配した下地材に取り付けて、壁面の化粧部材であるプレート部材を固定するためのプレート部材取付具であり、建物躯体又は下地材への取付部と、通気用隙間を確保するための隙間形成用案内部と、プレート部材を位置決め支持する支持部とからなり、かつこれらがプレート部材を結合するための接着剤との絡み結合構造を兼ねた透水構造をその全部又は一部に備えた板材により構成されているものである。
【００１７】
前記プレート部材は、大型の石材板、大型のタイル、大型の板状レンガ、大型の板状ボードなど建築物の壁面を化粧する外装材であって、建物躯体又はこれに配した下地材に取り付けられて外壁を構成することとなる外装材を意味する。
【００１８】
前記取付部は、建物躯体又はこれに配した下地材に取り付けるための手段であり、各部位に当接させ得るように概ねこれらと平行な板状部に構成し、かつ該板状部には固定手段であるビス又は釘、或いはアンカー等を貫通させるための結合孔を開口しておくものとする。建物躯体には、ＲＣ造の建物であれば、Ｌ形長尺片やＣ形片等からなる不陸調整材を介して取り付けるのが適当である。また木造の建物であれば柱に胴縁を介して取り付けるのが適当である。胴縁に更に下地板のような下地材を配した場合は、該下地材に直接取り付けることができる。
【００１９】
前記隙間形成用案内部は、前記建物躯体又はこれに配した下地材の前面とプレート部材との間に形成すべき通気用隙間を確保するための手段である。従って、云うまでもなく、前記建物躯体又はこれに配した下地材の前面から通気用隙間分だけ前方に進出した位置に位置し、取り付けられるプレート部材をそのような位置に案内し得るように、ある程度の広さを持った案内面に構成するのが適当である。
【００２０】
前記支持部は、プレート部材の鉛直荷重を受けつつこれを位置決め支持する手段である。プレート部材の不陸方向の位置決めを担当するのが前記隙間形成用案内部であるのに対して、この支持部は、鉛直荷重を受けつつ高さ方向の位置決めを担当するものであり、両者によってプレート部材は正確に位置決めされることとなる。
【００２１】
前記板材は、これによって以上の各構成要素を一体に構成する部材であり、前記のように、これ自体に、プレート部材を結合するための接着剤との絡み結合構造を兼ねた透水構造をその全部又は一部に備えたものであり、プレート部材との強固な結合及びプレート部材の目地部等から進入した雨水等のスムーズな流下を確保すべく構成されている。接着剤との絡み構造を兼ねた透水構造は、該板材に平均に開口した多数の小孔又は網状構造等によって実現することができる。
【００２２】
本発明は、基本的に以上のような構成であるが、より具体的には、種々の実施の形態があり得る。
【００２３】
その一は、前記取付部を直立する取付板部に構成し、前記支持部を、上記取付板部の上端から前方に水平に張り出してその上面でプレート部材の下端を支持するプレート支持片に構成し、前記隙間形成用案内部を、上記取付板部の下端に、ここから前方に突き出した連結片を介して垂下させた隙間形成片に構成し、更に前記絡み結合構造を兼ねた透水構造として、以上の取付板部、プレート支持片、連結片及び隙間形成片を一体に構成する左右に長尺な板材の全面に多数の小孔を開口したプレート部材取付具である。
【００２４】
前記取付板部は、その上端から前方にプレート支持片を張り出させるものであるが、該プレート支持片から見れば、該取付板部をその後端から垂下させて形成するものといえる。この取付板部は、これがその一部を構成しているプレート部材取付具を前記建物躯体又は下地材に対して確実な固定状態で固定するのに不都合ない程度であれば良い。なおこの取付板部は、これに開口している小孔をビス孔等として利用して前記建物躯体等の所定の部位に取り付けることができる。
【００２５】
前記プレート支持片は、前記のように、前記取付板部の上端から前方に水平に張り出し構成するものであり、具体的には、前記板材の上部を前方に水平に張り出すべく折曲して形成するものである。このプレート支持片の張り出し幅は、採用するプレート部材の厚み等に応じて適宜に決定する。プレート部材を支持する際に安定して支持することができるような張り出し寸法とする。
【００２６】
該プレート支持片は、前記プレート部材を建物外面に取り付ける際に、該プレート部材を位置決めしつつその上面で確実に支持するものであり、接着剤が硬化しない段階であってもこれで支持されたプレート部材は下方にずれ落ちるダレを生じることがない。そのためプレート部材の取付作業に於いて、必ずしも、壁面下方から取り付けて行き、順次、接着剤の硬化を待ってから上方のプレート部材を取り付けるというような手順を採用する必要がない。
【００２７】
前記隙間形成片は、前記のように、前記連結片の先端から垂下させて形成するものである。上記連結片は、前記取付板部の下端から前方に突き出して形成するものである。前記取付板部の下端からの突き出し寸法は、通気用隙間に相当する長さとするのは云うまでもない。また前記隙間形成片の大きさは、前記プレート部材を前記建物躯体又は下地材に取り付ける際に上記通気用隙間を確保し、プレート部材をほぼ同一面上に取り付けるべく案内するのに不都合でないそれであれば良い。
【００２８】
前記板材は、以上の取付板部、プレート支持片、連結片及び隙間形成片を一体に構成する部材であるが、これはそのような各構成要素を構成する部材として充分な強度を有し、錆等の発生がなく、火災等で容易に燃えたり溶けたりせず、かつ有毒ガスの発生がないものであればその材質を問わない。例えば、ステンレススティールや防錆塗装若しくはメッキを施した鋼材等を採用することができる。
【００２９】
該板材は、絡み結合構造を兼ねた透水構造として、その全面に多数の小孔を開口したものであるが、その小孔のサイズ及び密度は、該板材の必要な強度を下まわらない程度に設定する。
【００３０】
このように板材の前面に開口した小孔は、文字通り、透水構造として機能し、これを用いた建物壁面では、目地部などから入り込んだ雨水をこの小孔を伝って容易に下方に流し出すことができる。特にプレート支持片に開口してある多数の小孔は、壁面内に入り込んだ雨水を滞留させることなく下方に流し出すために重要である。
【００３１】
このような多数の小孔で構成した該透水構造は、文字通り絡み結合構造としても機能し、プレート部材を取り付けるための接着剤は良くこれに絡み、接着剤とプレート部材取付具との結合を強固な物とすることができる。
【００３２】
次にその一の実施の形態のプレート部材取付具の用法を説明する。
予め所望のプレート部材とこの実施の形態のプレート部材取付具との必要数を用意し、建物躯体に直接取り付ける場合又はこれに下地材を介して取り付ける場合は、それぞれ先に述べたように予め対応する準備をしておくものとする。
【００３３】
初めに所望のプレート部材をどのように配列するかを定める。
次いでプレート部材取付具を、そのプレート支持片の上面が配列予定のプレート部材の下端に一致するように、建物躯体又は下地材に取り付ける。プレート部材取付具は、その取付板部の小孔を利用して、ビス又はボルト若しくはアンカー等によって、順次、建物躯体等に取り付ける。
【００３４】
最下段のプレート部材取付具は、この実施の形態の場合は、上下を反転させて建物躯体等に取り付ける。これによって最下段のプレート部材取付具は、取り付けられるプレート部材の背後に隠れることとなり、好都合である。
【００３５】
次いでプレート部材を取り付ける。
プレート部材の背面の適宜な部位、例えば、その四隅付近に、接着剤をスポット状に、かつ適度の厚みに付着させ、該プレート部材の下端をプレート部材取付具のプレート支持片に載置して位置決めしつつ、かつその前面が上下左右のプレート部材の前面と一致するように不陸の調整を行いつつ、プレート部材取付具の隙間形成片及び建物躯体等に押し付け接着させる。このとき隙間形成片が前後方向（不陸方向）の位置決めを助けることとなる。幅方向のプレート部材相互は、相互のプレート部材の目地部となる適度の隙間を取ってプレート部材取付具の隙間形成片及び建物躯体等に接着させる。
【００３６】
なお、接着剤がセメント系の場合は、建物躯体又は下地材には完全には接着し難いが、前記したように、プレート部材取付具の絡み結合構造を兼ねた透水構造を介して確実に結合することで、プレート部材の確実な取付を確保することができる。弾性接着剤を用いた場合は、通常、建物躯体又は下地材への接着も確実なものとなる。
【００３７】
また以上のようなプレート部材の取り付け作業は、該プレート部材がプレート支持片で支持され、ダレを生ずることがないので、先に述べたように、どの位置から取り付け作業を始めることも妨げられない。
【００３８】
全てのプレート部材の取り付けが終わった後で、各隣接するプレート部材の間に位置する隙間に目地材を充填し、雨水の建築物への浸透を最小限に抑えるようにする。
【００３９】
このようにこの実施の形態のプレート部材取付具を用いて建築物の外壁にプレート部材を取り付ければ、目地部等から入り込んだ雨水は、プレート部材の背後に滞留することなく前記透水構造を通じて流下し排出されるので、前述のような問題が解消される。
また上下方向の位置決めをするプレート支持片と前後方向の位置決めをする隙間形成片とによって、作業者の技能レベルに左右されず、誰でもが短時間にプレート部材を正確に取り付けることができるようになる。取付後のプレート部材は、隣接する相互の前面及び高さ位置がいずれも一致したものとなる。
【００４０】
その二の実施の形態は、前記取付部を、建物躯体又はこれに配した下地材に取り付けるための直立する上下二つの取付板部に構成し、前記隙間形成用案内部を、上記上下の取付板部から各々前方に突き出した連結片の先端間に垂直に配した隙間形成板に構成し、前記支持部を、上記隙間形成板の上下方向途中から前方に水平に張り出した同一高さの複数のプレート支持片に構成し、更に前記絡み結合構造を兼ねた透水構造として、以上の二つの取付板部、二つの連結片、隙間形成板及び複数のプレート支持片を一体に構成する左右に長尺な板材の内、プレート支持片を除く部位の全面に多数の小孔を開口したプレート部材取付具である。
【００４１】
前記取付板部は、二枚のそれで、これらがその一部であるプレート部材取付具を前記建物躯体又は下地材に対して確実な固定状態に固定できるものであれば良い。先に説明した実施の形態のそれと同様に、この取付板部は、これに開口している小孔をビス孔等として利用して前記建物躯体等の所定の部位に取り付けることができる。
【００４２】
前記隙間形成板は、二つの連結片を介して上記二つの取付板部間に配したものであり、前記の実施の形態と同様の趣旨で、同様の寸法分だけ前方に突き出した位置に配されるものである。
【００４３】
前記プレート支持片は、前記のように、隙間形成板の上下方向途中から前方に水平に張り出した部材であり、複数のそれが同一高さで連設されているものである。該プレート支持片は、先の実施の形態のそれと同様に、前記プレート部材を建物外面に取り付ける際に、該プレート部材を位置決めしつつその上面で確実に支持するものである。
【００４４】
前記板材は、以上の取付板部、プレート支持片、連結片及び隙間形成板を一体に構成する部材であり、これ自体は先に説明した実施の形態のそれと全く同様の構成である。
【００４５】
このようなその二の実施の形態のプレート部材取付具は先に説明したそれと同様に使用することができる。異なっているのは、取付板部は上下の二枚が構成されているので、これによってより確実に建物躯体又は下地材に固設することができることである。またプレート部材を取り付ける際に、その上部裏面を上方に設置されたプレート部材取付具の隙間形成板で位置決めし、下部裏面を下方に設置されたプレート部材取付具の隙間形成板で位置決めできるため、より不陸方向の位置決めが正確になることである。これ以外は全く同様である。
【００４６】
その三の実施の形態は、前記取付部を、建物躯体又はこれに配した下地材に取り付けるための直立する上下二つの取付板部に構成し、前記隙間形成用案内部を、上記上下の取付板部から各々前方に突き出した連結片の先端間に垂直に配した隙間形成板に構成し、前記支持部を、上記隙間形成板の上下方向途中から前方斜め上向きに張り出した同一高さの複数のプレート支持片に構成し、更に前記絡み結合構造を兼ねた透水構造として、以上の二つの取付板部、二つの連結片、隙間形成板及び複数のプレート支持片を一体に構成する左右に長尺な板材の内、プレート支持片を除く部位の全面に多数の小孔を開口したプレート部材取付具である。
【００４７】
その三の実施の形態は、前記その二の実施の形態と、プレート支持片のみが異なるものであり、それ以外は全く同様である。この場合は、取付対象のプレート部材は、その裏面に、上記のようなプレート支持片に係止し得る係止板を具備し、若しくは係止し得るアリ溝状の係止形状を備えたものである必要があり、そうであれば、該係止板等により一層確実にプレート部材を該プレート部材取付具に取り付けることができることとなる。
【００４８】
その四の実施の形態は、前記プレート支持片を、その先端に、上方のプレート部材の下端に形成した係止溝に係止する上向き係止片及び下方のプレート部材の上端に形成した係止溝に係止する下向き係止片を備えたものに構成したプレート部材取付具である。
【００４９】
その四の実施の形態は、前記その二の実施の形態とプレート支持片の先端に上向き係止片及び下向き係止片を備えた点のみが異なるもので、それ以外は全く同様である。この場合は、取付対象のプレート部材は、その下端に、上記のようなプレート支持片の上向き係止片に係止しうる係止溝を、上端に下向き係止片に係止し得る係止溝を具備したものである必要があり、そうであれば、一層確実にプレート部材を該プレート部材取付具に取り付けることができることとなる。
【００５０】
その五の実施の形態は、前記取付部を、建物躯体又はこれに配した下地材に取り付けるための直立する上下及び中間の三枚の取付板部に構成し、
前記隙間形成用案内部を、上記上方及び中間の取付板部から各々前方に突き出した連結片の先端間、並びに中間及び下方の取付板部から各々前方に突き出した連結片の先端間に各々垂直に配した二つの隙間形成板に構成し、
前記支持部を、上記中間の取付板部の上下方向途中から前方斜め上向きに張り出した同一高さの複数のプレート支持片に構成し、
更に前記絡み結合構造を兼ねた透水構造として、以上の三枚の取付板部、四枚の連結片、二つの隙間形成板及び複数のプレート支持片を一体に構成する左右に長尺な板材の内、プレート支持片を除く部位の全面に多数の小孔を開口したプレート部材取付具である。
【００５１】
その五の実施の形態は、前記その二の実施の形態の二つのプレート部材取付具を上下に結合し、それぞれ隙間形成板に形成してあるプレート支持片を除去し、かつ中間の取付板部から前方斜め上向きにプレート支持片を張り出し構成したものであり、プレート支持片を除く各構成要素は、その二の実施の形態の該当するそれと全く同様であり、プレート支持片はその三の実施の形態のそれと全く同様である。
【００５２】
その五の実施の形態の場合は、プレート支持片が前記のような構成であり、中間の取付板部から突出させてあるものであるから、取付対象のプレート部材は、その裏面に、上記のようなプレート支持片に係止し得る係止板を具備したものである必要があり、そうであれば、該係止板によって一層確実にプレート部材を該プレート部材取付具に取り付けることができるし、該プレート支持片の上下に隙間形成板が位置しているので、プレート部材の不陸方向の位置決めをより正確に行えることとなる。加えて、接着剤との絡み結合もより広い範囲で行われ、より確かな物とすることができる。
【００５３】
その六の実施の形態は、前記その一〜五の実施の形態のプレート部材取付具に於いて、前記絡み結合構造を兼ねた透水構造として、前記左右に長尺な板材の全部又は一部を前記多数の小孔に代えて網状部に構成したものである。
【００５４】
従っていずれにしても、接着剤との絡みが良好であり、プレート部材とプレート部材取付具との結合を確かな物とすることができるし、目地部等を通じて雨水等が外壁の裏面に進入した場合にも、その雨水は滞ることなく、流下し、雨水の滞留に起因する腐食その他の害をなくすることができる。
【００５５】
【実施例】
以下、本発明のプレート部材取付具の実施例を図面を参照しながら詳細に説明する。
【００５６】
＜実施例１＞
図１〜図４は本発明の実施例１を示しており、図１はプレート部材取付具の一部切欠斜視図、図２はプレート部材取付具の側面図、図３はプレート部材取付具を用いて大型の石材板を取り付けた状態を示す木造の建物の外壁の一部切欠縦断側面図、図４はプレート部材取付具を用いて大型の石材板を取り付けた状態を示す木造の建物の外壁の横断平面図である。
【００５７】
この実施例１は、プレート部材である大型の石材板２を木造の建物の外壁に取り付ける例に関する。
またこの木造の建物の外壁には、図３及び図４に示すように、石材板２を取り付けるための下地として下地板３、３…を柱４、４…及び間柱５、５…に各々縦胴縁６を介して取り付ける。図中７ａは下地板３を縦胴縁６を介して柱４等に取り付けるためのビスであり、７ｂはプレート部材取付具１を下地板３、縦胴縁６及び柱４等に取り付けるためのビスである。
【００５８】
このプレート部材取付具１は左右に長尺なステンレス製の板材で構成する。この板材はその全面にプレス加工によって適度の間隔で多数の小孔８、８…を開口したものである。
【００５９】
上記プレート部材取付具１は、図１及び図２に示すように、上記板材をプレス機械によって曲げ加工し、その主たる構成要素であるプレート支持片９と、取付板部１０と、連結片１１と、隙間形成片１２とを形成したものである。即ち、前記板材の上部を前方に水平に曲げて前記プレート支持片９を形成し、そのプレート支持片９の後端を折曲垂下して取付板部１０を形成し、該取付板部１０の下端を上記プレート支持片９の張り出し長さの半分程度前方に突き出すように曲げて連結片１１を形成し、かつ該連結片１１の先端を折曲垂下して隙間形成片１２を形成したものである。
【００６０】
このプレート部材取付具１は、言うまでもなく、予め、下地板３への対象の石材板２、２…の配列の仕方を定めた上で、その取り付け作業を行う。
図３に示すように、所要数のプレート部材取付具１、１…を、それらのプレート支持片９が、下地板３に於ける取り付け予定の石材板２、２…の下端に一致するように該下地板３上に位置させる。そのようにプレート部材取付具１、１…を配置した上で、柱４、４…又は間柱５、５…の位置に対応する取付板部１０の小孔８、８…にビス７ａ、７ａ…を通し、その先端を該柱４、４…又は間柱５、５…までネジ込み固定する。
【００６１】
こうして下地板３、３…の前面の必要領域にプレート部材取付具１、１…を取り付けた後、順次、石材板２、２…を取り付けて行く。その取り付け作業は、下地板３、３…の上方の部位から始めても下方の部位から始めても良い。石材板２、２…は、例えば、その背面の四隅付近にスポット状に適量のセメント系接着剤１３を配した上で、その下端をプレート支持片９の上に載置しつつ、かつ上下左右の石材板２、２…のその表面が一致するように不陸の調整を行いつつ、プレート部材取付具１及び下地板３に接着する。このとき、前記隙間形成片１２が石材板２、２…の前後方向の位置決めを案内し、不陸の調整に寄与する。
【００６２】
石材板２、２…の取り付けが全て終了した段階で、各隣接する石材板２、２の目地位置には、図３及び図４に示すように、目地材１４を充填し、各石材板２、２の相互の間を埋めて雨水の建物内への浸透を最小限に抑える。
以上の作業によって、この実施例１のプレート部材取付具１を用いた木造の建物の外壁面への大型の石材板２、２…の取付作業は完了する。
【００６３】
この実施例１のプレート部材取付具１、１…を用いて取り付けた石材板２、２…の状態を１年間に渡って観察したが、目地部等から入り込んだ雨水が、石材板２、２…の背後に滞留する形跡は全くなく、それ故、冬季の厳寒期にそれが凍結して膨張し、石材板２、２…を落下させるような問題の発生する余地は無かった。また夏期を中心にしたカビの発生する余地も全く認められなかった。
【００６４】
これは、プレート部材取付具１が、そのプレート支持片９その他の部位に多数の小孔８、８…を備えており、これらの小孔８、８…を通じて目地部などから入り込んだ雨水を容易に流下させ得るからだと考えることができる。
【００６５】
更に地震や振動等による石材板２、２…の割れや剥離の発生も認められなかった。
【００６６】
これは、石材板２、２…の下地板３、３…への結合が、セメント系接着剤１３を介して行われているため、充分なものではなく、他方、プレート部材取付具１、１…に対しては、該セメント系接着剤１３が小孔８、８…に絡んで確実な結合を確保することとなったためである。即ち、石材板２、２…は実質的にはプレート部材取付具１、１…を介して取り付けられている物であるため、建物躯体に加わる地震等の振動を直接には受けず、それ故、地震等による割れや、剥離落下のおそれの殆どない物となるからである。
【００６７】
＜実施例２＞
図５〜図９は本発明の実施例２を示しており、図５は実施例２のプレート部材取付具の一部切欠斜視図、図６(a)は実施例２のプレート部材取付具の概略側面図、図６(b)は実施例２のプレート部材取付具の背後に背後カバーを取り付ける過程を示した側面説明図、図７(a)は結合金具を裏面に配した目地用石材板の側面図、図７(b)は結合金具を裏面に配した目地用石材板の一部切欠正面図、図８は実施例２のプレート部材取付具を用いて大型の石材板を取り付け、かつその目地に目地用石材板を取り付けた状態を示す木造の建物の外壁の縦断側面図、図９は図８のＡ−Ａ線の位置で断面した横断平面図である。
【００６８】
この実施例２は、プレート部材である大型の石材板２及び目地用石材板２２を木造の建物の外壁に取り付ける例に関する。なお、図８及び図９に示すように、この実施例２では、プレート部材取付具２１は、下地板３を用いず、柱４、４…及び間柱５、５…に各々縦胴縁６を介して取り付けた用例を示している。
【００６９】
前記プレート部材取付具２１は、図５に示すように、左右に長尺なステンレス製の板材で構成する。該プレート部材取付具２１は、図５及び図６に示すように、該板材をプレス機械によって打ち抜き加工し、かつ曲げ加工して、該板材の前面に開口した多数の小孔２３、２３…と、プレート支持片２４、２４…と、取付板部２５、２５と、連結片２６、２６と、隙間形成板２７とを形成したものである。
【００７０】
即ち、前記板材を打ち抜き加工して、その全面に多数の小孔２３、２３…を開口し、同時に該当する部位にプレート支持片２４、２４…用の打ち抜きを行い、続いて、曲げ加工して、上下の取付板部２５、２５と、上方の取付板部２５の下端から斜め下方に突出する連結片２６及び下方の取付板部２５の上端から斜め上方に突出する連結片２６とを形成し、更に上下の連結片２６、２６の先端間を結合する隙間形成板２７を前記取付板部２５、２５と平行に形成する。また該隙間形成板２７の高さ方向中間付近に横方向に連設された複数の舌片状の部材を前方に水平状態になるように曲げ加工し、プレート支持片２４、２４…を形成する。
【００７１】
このプレート部材取付具２１は、実施例１のプレート部材取付具１と同様に、云うまでもなく、予め、対象の石材板２、２…及び目地用石材板２２、２２…の配列の仕方を定めた上で、その取り付け作業を行う。
【００７２】
なおこの用例では、前記下地板３を使用していないので、接着剤が背後に際限なく流れ出すことがないように、前記各プレート部材取付具２１、２１…の背後には背後カバー２８を取り付けることとする。背後カバー２８は、プレート部材取付具２１の裏面全域をカバーしうる面積を持った金属板材であり、その上下端に複数の係止爪片２８ａ、２８ａ…が形成してあるものである。図６(b)に示すように、該背後カバー２８をプレート部材取付具２１の背後に配し、その上下を該プレート部材取付具２１の取付板部２５、２５に当接させた上で、各係止爪２８ａ、２８ａ…を折り返して固定する。
【００７３】
予め、以上のようにして、プレート部材取付具２１、２１…の背後に背後カバー２８を取り付けた上で、図８に示すように、所要数のプレート部材取付具２１、２１…を、それらのプレート支持片２４、２４が取り付け予定の石材板２、２…の下端又は上端に一致するように、縦胴縁６、６…に取り付ける。縦胴縁６は、予め柱４、４…及び間柱５、５…にそれぞれ縦向きに固設してある。該プレート部材取付具２１、２１…は、上記のような位置関係に配置した上で、それぞれ縦胴縁６、６…の位置に対応する上下の取付板部２５、２５の適宜数の小孔２３、２３…にビス７ｂを通し、その先端を該柱４、４…又は間柱５、５…までネジ込むことにより固定する。
【００７４】
こうして縦胴縁６、６…を介して建物躯体の柱４、４…及び間柱５、５…の前面の必要領域にプレート部材取付具２１、２１…を取り付けた後、順次、石材板２、２…を取り付けて行く。その取り付け作業は、壁面を構成する領域の上方の部位から始めても下方の部位から始めても良い。石材板２、２…は、例えば、その背面の上下付近に適量のセメント系接着剤１３を配した上で、その下端をプレート支持片２４、２４…の上に載置し、上端を下方のプレート支持片２４、２４…の直下に装入しつつ、隣接する石材板２、２…と前面の高さが一致するように不陸の調整を行いつつ、プレート部材取付具２１、２１…に接着する。このとき、前記隙間形成板２７、２７…が石材板２、２…の前後方向の位置決めを案内し、不陸の調整に寄与する。
【００７５】
この用例では、前記のように、目地用石材板２２、２２…を配することとしたため、図８に示すように、石材板２、２…の配置は、上下のそれの間に該目地用石材板２２、２２…の取付スペースがあいた状態になる。この取付スペースに引き続いて目地用石材板２２、２２…を取り付ける。
【００７６】
この目地用石材板２２、２２…は、図７に示すように、その背後に多孔金属板で断面Ｃ状に形成した結合金具２２ａが取り付けてある。該結合金具２２ａの上下方向の幅は前記取付スペースの上下方向の幅より僅かに狭い程度に構成してある。
【００７７】
従って、前記目地用石材板２２、２２…は、図８に示すように、その結合金具２２ａに適量のセメント系接着剤１３を付着させた上で、前記取付スペース中に装入し、上下の裏面を、それぞれ上方の石材板２の下端前面又は下方の石材板２の上端前面に当接させることにより該位置に取り付けることができる。開いている取付スペースの全てに該目地用石材板２２、２２…を取り付ければ、この取付作業は終了する。
【００７８】
石材板２、２…及び目地用石材板２２、２２…の取り付け作業が全て終了した段階で、各隣接する石材板２、２の目地位置には、図９に示すように、目地材１４を充填し、各石材板２、２の相互の間を埋めて雨水の建物内への浸透を最小限に抑える。
以上の作業によって、この実施例２のプレート部材取付具２１を用いた木造の建物の外壁面への大型の石材板２、２…及び目地用石材板２２、２２…の取付作業は完了する。
【００７９】
この実施例２のプレート部材取付具２１、２１…を用いて取り付けた石材板２、２…及び目地用石材板２２、２２…の状態を、実施例１と同様に、１年間に渡って観察したが、目地部等から入り込んだ雨水が、石材板２、２…や目地用石材板２２、２２…の背後に滞留する形跡は全くなかった。
【００８０】
これは、プレート部材取付具２１が、その連結片２６、２６その他の部位に多数の小孔２３、２３…を備えており、これらの小孔２３、２３…を通じて目地部などから入り込んだ雨水を容易に流下させ得るからだと考えることができる。
また地震や振動等による石材板２、２…や目地用石材板２２、２２…の割れや剥離の発生も認められなかった。
【００８１】
石材板２、２…及び目地用石材板２２、２２…は、プレート部材取付具２１、２１…と、その全体に渡って形成された小孔２３、２３…に絡むセメント系接着剤１３を介して確実な結合を確保しているが、直接には建物躯体を構成する柱４、４…及び間柱５、５…とは結合していないためである。即ち、石材板２、２…及び目地用石材板２２、２２…は、上記のように、プレート部材取付具２１、２１…を介して柱４等に取り付けられている物であるため、建物躯体に加わる地震等の振動は、その弾力性によって吸収されることとなり、それ故、地震等による割れや、剥離落下のおそれの殆どない物となるからである。
【００８２】
＜実施例３＞
図１０及び図１１は本発明の実施例３を示しており、図１０は実施例３のプレート部材取付具の斜視図、図１１は実施例３のプレート部材取付具を用いて大型の石材板を取り付けた状態を示す縦断側面説明図である。
【００８３】
この実施例３のプレート部材取付具３１は、実施例２のプレート部材取付具２１の水平方向に突き出すプレート支持片２４、２４…に代えて、斜め上方に突き出すプレート支持片３４、３４…を構成したものであり、それ以外は全て実施例２のプレート部材取付具２１と同一である。
【００８４】
従って石材板の取り付け方が若干異なるのみであり、これについてのみ説明する。石材板は、例えば、裏面にアリ溝を形成し、これで前記プレート支持片３４に係止するか、係止金具を裏面に取り付けてこれによって係止するのが適当である。この実施例では、裏面に上係止金具３２ａと下係止金具３２ｂを取り付けた石材板３２を取り付ける例を説明する。
【００８５】
上記上係止金具３２ａは、図１１に示すように、石材板３２の裏面上部にその上端が若干突き出す高さに取り付け、その上端から係止部を下向き傾斜状態に形成したものである。また上記下係止金具３２ｂは、石材板３２の裏面下部にその下端が若干突き出す高さに取り付け、その下端から係止部を下向き傾斜状態に形成したものである。
【００８６】
この実施例３のプレート部材取付具３１は、実施例２のそれと同様に建物躯体に取り付け、そのプレート支持片３４、３４…を利用して前記石材板３２、３２…を取り付ける。上下の石材板３２、３２は、図１１に示すように、下方のそれの上係止金具３２ａの係止部を直接プレート支持片３４に係止し、上方のそれの下係止金具３２ｂの係止部を上記上係止金具３２ａの係止部の上に載せる状態で係止する。このようにして必要な数の石材板３２、３２…を建物躯体に取り付けることができる。接着剤の付着のさせ方その他、上記以外は全て実施例２と同様である。
【００８７】
＜実施例４＞
図１２及び図１３は本発明の実施例４を示しており、図１２は実施例４のプレート部材取付具の斜視図、図１３は実施例４のプレート部材取付具を用いて大型の石材板を取り付けた状態を示す縦断側面説明図である。
【００８８】
この実施例４のプレート部材取付具４１は、実施例２のプレート部材取付具２１の水平方向に突き出すプレート支持片２４、２４…に代えて、図１２及び図１３に示すように、その先端に上向き係止片４４ａ及び下向き係止片４４ｂを備えたプレート支持片４４、４４…を構成したものであり、それ以外は全て実施例２のプレート部材取付具２１と同一である。
【００８９】
従って実施例４のプレート部材取付具４１は、実施例２のそれと石材板の取り付け方が若干異なるのみであり、以下異なっている上記の点についてのみ説明する。
このプレート部材取付具４１の取付対象となる石材板４２は、その下端に、上記のようなプレート支持片４４の上向き係止片４４ａに係止しうる係止溝４２ａを、上端に下向き係止片４４ｂに係止し得る係止溝４２ｂを、それぞれ具備したものである。
【００９０】
この実施例４のプレート部材取付具４１は、実施例２のそれと同様に建物躯体に取り付け、そのプレート支持片４４、４４…を利用して前記石材板４２、４２…を取り付ける。上下の石材板４２、４２は、図１３に示すように、上方のそれの下端の係止溝４２ａにプレート支持片４４の上向き係止片４４ａを挿入し、下方のそれの上端の係止溝４２ｂに該プレート支持片４４の下向き係止片４４ｂを挿入して取り付ける。石材板４２、４２…は、その上端の係止溝４２ｂと下向き係止片４４ｂとの結合から先に行い、後者を前者に最大限度まで挿入した上で、下端の係止溝４２ａと上向き係止片４４ａの挿入を行うこととすると、要領よくその結合を行うことができる。
【００９１】
このようにして必要な数の石材板４２、４２…を建物躯体に取り付けることができる。接着剤の付着のさせ方その他、上記以外は全て実施例２と同様である。
【００９２】
＜実施例５＞
図１４及び図１５は本発明の実施例５を示しており、図１４は実施例５のプレート部材取付具の斜視図、図１５は実施例５のプレート部材取付具に大型の石材板を取り付けた状態を示す縦断側面説明図である。
【００９３】
この実施例５のプレート部材取付具５１は、図１４に示すように、直立する上下及び中間の三枚の取付板部５５、５５、５５と、上記上方の取付板部５５の下端から下向き傾斜で前方に突き出す連結片５６及び中間の取付板部５５の上端から上向き傾斜で前方に突き出す連結片５６のそれぞれの先端間を繋ぐ隙間形成板５７、並びに前記中間の取付板部５５の下端から下向き傾斜で前方に突き出す連結片５６及び下方の取付板部５５の上端から上向き傾斜で前方に突き出す連結片５６のそれぞれの先端間を繋ぐ隙間形成板５７と、上記中間の取付板部５５の上下方向途中から前方斜め上向きに張り出した同一高さの複数のプレート支持片５４、５４…とを、上記プレート支持片５４、５４…を除く部位の全面に多数の小孔５３、５３…を開口した金属板材で一体に構成したものである。
【００９４】
即ち、この実施例５のプレート部材取付具５１は、実施例２の二つのプレート部材取付具２１、２１を上下に結合し、それぞれ隙間形成板２７に形成してあるプレート支持片２４、２４…を除去し、かつ中間の取付板部５５から前方斜め上向きにプレート支持片５４、５４…を張り出し構成したものであり、プレート支持片５４、５４…を除く各構成要素は、実施例２の該当するそれと全く同様であり、プレート支持片５４、５４…は実施例３のそれと全く同様である。なおこの実施例５のプレート部材取付具５１は、上記のように、そのプレート支持片５４、５４…の構成が実施例３のそれと同様であるから、実施例３で取付対象として示した石材板３２が取付対象として適当である。
【００９５】
従ってこの実施例５のプレート部材取付具５１は、前記実施例２のプレート部材取付具２１等と同様に、取付対象の石材板３２、３２…の配列に合わせて建物躯体又は下地板に取り付ける。下地板を準備しない場合は、建物躯体に縦胴縁を配し、これに取り付ける。このように縦胴縁に直接取り付ける場合は、実施例２の用例で説明したように、該プレート部材取付具５１の背後に背後カバーを取り付けた上で取り付けるものとする。
【００９６】
必要数のプレート部材取付具５１、５１…を建物躯体の対象領域に取り付けた後は、前記石材板３２、３２…を、そのプレート支持片５４、５４…を利用して取り付ける。上下の石材板３２、３２は、図１５に示すように、下方のそれの上係止金具３２ａの係止部を直接プレート支持片５４に係止し、上方のそれの下係止金具３２ｂの係止部を上記上係止金具３２ａの係止部の上に載せる状態で係止する。このようにして必要な数の石材板３２、３２…を正確に位置決めしつつ建物躯体に取り付けることができる。以上のように石材板３２、３２…をプレート支持片５４、５４…に係止させる際には、その裏面上下端付近には適量の接着剤を付着させるべきことは云うまでもない。全取付領域に石材板３２、３２…を取り付けた後に隣接するそれらの間の目地には目地材を充填する。
【００９７】
実施例５のプレート部材取付具５１は、プレート支持片５４、５４…が前記のような構成であり、中間の取付板部５５から突出させてあるものであるから、取付対象の石材板３２、３２…は、その裏面に、上記のような上係止金具３２ａと下係止金具３２ｂとを具備したものである必要があるが、そうであれば、それらによって一層確実に該プレート部材取付具５１に取り付けることができるし、該プレート支持片５４、５４…の上下に隙間形成板５７、５７が位置しているので、石材板３２、３２…の不陸方向の位置決めをより正確に行えることとなる。加えて、接着剤との絡み結合もより広い範囲で行われ、より確かな物となる。雨水等が石材板３２、３２…の裏側に進入した場合も、前記小孔５３、５３…を通じて容易に流下する。
【００９８】
＜実施例６＞
図１６は本発明の実施例６を示しており、そのプレート部材取付具の斜視図である。
【００９９】
この実施例６のプレート部材取付具６１は、実施例２のプレート部材取付具２１の隙間形成板２７に開口してある小孔２３、２３…に代え、複数の網状部６３、６３…を形成したものであり、この他は、実施例２のプレート部材取付具２１と全く同一である。
【０１００】
従ってその用法は、実施例２のプレート部材取付具２１と全く同一である。作用効果も殆ど同一であるが、石材板２等を取り付ける接着剤としてモルタルを用いた場合、該モルタルが膨張しても該モルタル自体が切れにくい利点がある。そのため石材板２等を保持する作用を容易に失わない利点が得られる。
【０１０１】
【発明の効果】
従って、本発明の１のプレート部材取付具は、これを利用してプレート部材を取り付けて外壁を構成すると、該外壁の目地部等から入り込んだ雨水は、該プレート部材取付具に設けた小孔を通じて容易に流下させることができる。その結果、雨水がプレート部材の背後に滞留して、冬季の厳寒期にこれが凍結して膨張し、これに起因してプレート部材が剥離して外壁面に凹凸が生じたり、剥離が酷い場合にはプレート部材が落下したり、或いは夏季にカビが発生して見栄えが悪くなったり、木造の場合は下地若しくは建物躯体の該当する部位に腐りを生じる等という問題が発生しない。
【０１０２】
またプレート部材取付具に設けた小孔には、接着剤が良好に絡むことになるので、プレート部材とプレート部材取付具とは接着剤を介して強固に結合し、その結果、プレート部材は該プレート部材取付具を介して、確実に建物躯体に取り付けられることになる。
【０１０３】
また壁面を構成するプレート部材は、プレート部材取付具に設けた隙間形成片によって下地から適度の距離をおいて、かつプレート部材取付具を介して取り付けられるので、地震等の振動又は歪みが直接にプレート部材に加わらず、それ故、その割れや剥離の問題を大幅に解消することができる。接着剤としてセメント系のそれを用いた場合は、この接着剤はプレート部材取付具と絡んで確実に結合するが、下地とは充分に接着しないものであるため、また弾性接着剤を用いた場合は下地材ともしっかりと結合するが、充分な弾力性を有するものであるため、いずれにしてもプレート部材には建物躯体に加わった振動等が直接には伝わらず、それ故、その割れや剥離の問題を大幅に解消することができることとなる。
【０１０４】
またこのプレート部材取付具を用いると、プレート部材を取り付ける際に、これによって高さ方向の位置決め及び不陸方向の位置決めがされるので、未熟練者でも正確かつスピーディに取付作業を行うことができるし、プレート部材の重量が該プレート部材取付具によって受け止められるので、接着剤が硬化する前でも、該プレート部材が下方にずれる落ちるダレを生じることがない。
またプレート部材がダレを生じることがないので、接着剤の硬化を待つことなく、次々とその取付作業を進めることができる。それ故、作業の効率が著しく改善されることになる。
【０１０５】
本発明の２のプレート部材取付具によれば、本発明の１のそれについて説明した全ての効果を簡易な構成で得ることができる。
【０１０６】
本発明の３のプレート部材取付具によれば、本発明の１のそれについて説明した全ての効果を得ることができると共に、その内の、不陸方向の位置決めが一層確実に行いうるものとなる。
【０１０７】
本発明の４及び５のプレート部材取付具によれば、本発明の３のそれと同様の効果を全て得ることができると共に、プレート部材の支持がより確実なものとなる。
【０１０８】
本発明の６のプレート部材取付具によれば、本発明の４のそれについて説明した全ての効果を得ることができると共に、その内の、不陸方向の位置決めが更に一層確実に行いうるものとなる。
【０１０９】
本発明の７のプレート部材取付具によれば、本発明の１のそれついて説明した全ての効果を得ることができると共に、接着剤としてモルタルを使用した場合、その膨張によってもモルタルを切ることがないため、接着強度をその際にも失わせないと云う利点を得ることができる。
【図面の簡単な説明】
【図１】実施例１のプレート部材取付具の一部切欠斜視図。
【図２】実施例１のプレート部材取付具の側面図。
【図３】実施例１のプレート部材取付具を用いて大型の石材板を取り付けた状態を示す木造の建物の外壁の一部切欠縦断側面図。
【図４】実施例１のプレート部材取付具を用いて大型の石材板を取り付けた状態を示す木造の建物の外壁の横断平面図。
【図５】実施例２のプレート部材取付具の一部切欠斜視図。
【図６】  (a)は実施例２のプレート部材取付具の概略側面図。  (b)は実施例２のプレート部材取付具の背後に背後カバーを取り付ける過程を示した側面説明図。
【図７】  (a)は結合金具を裏面に配した目地用石材板の側面図。  (b)は結合金具を裏面に配した目地用石材板の一部切欠正面図。
【図８】実施例２のプレート部材取付具を用いて大型の石材板を取り付け、かつその目地に目地用石材板を取り付けた状態を示す木造の建物の外壁の縦断側面図。
【図９】図８のＡ−Ａ線の位置で断面した横断平面図。
【図１０】実施例３のプレート部材取付具の斜視図。
【図１１】実施例３のプレート部材取付具を用いて大型の石材板を取り付けた状態を示す縦断側面説明図。
【図１２】実施例４のプレート部材取付具の斜視図。
【図１３】実施例４のプレート部材取付具を用いて大型の石材板を取り付けた状態を示す縦断側面説明図。
【図１４】実施例５のプレート部材取付具の斜視図。
【図１５】実施例５のプレート部材取付具に大型の石材板を取り付けた状態を示す縦断側面説明図。
【図１６】実施例６のプレート部材取付具の斜視図。
【符号の説明】
１、２１、３１、４１、５１、６１  プレート部材取付具
２    石材板
３    下地板
４    柱
５    間柱
６    縦胴縁
７ａ、７ｂ  ビス
８、２３、５３  小孔
９、２４、３４、５４  プレート支持片
１０、２５、５５  取付板部
１１、２６、５６  連結片
１２、２７、５７  隙間形成片
１３  セメント系接着剤
１４  目地材
２２  目地用石材板
２２ａ  結合金具
２８  背後カバー
２８ａ  係止爪片
３２  石材板
３２ａ  上係止金具
３２ｂ  下係止金具
４２  石材板
４２ａ、４２ｂ  係止溝
４４  プレート支持片
４４ａ  上向き係止片
４４ｂ  下向き係止片
６３  網状部
【図１】
0003789384.tif 000002
【図２】
0003789384.tif 000003
【図３】
0003789384.tif 000004
【図４】
0003789384.tif 000005
【図５】
0003789384.tif 000006
【図６】
0003789384.tif 000007
【図７】
0003789384.tif 000008
【図８】
0003789384.tif 000009
【図９】
0003789384.tif 000010
【図１０】
0003789384.tif 000011
【図１１】
0003789384.tif 000012
【図１２】
0003789384.tif 000013
【図１３】
0003789384.tif 000014
【図１４】
0003789384.tif 000015
【図１５】
0003789384.tif 000016
【図１６】
0003789384.tif 000017